(57)【要約】【課題】ユーザおよび表示装置にとって好適な表示をより確実に実現できる技術を提供する。【解決手段】本発明の表示装置は、画像を含む画面を表示手段に表示する表示制御手段と、前記表示手段で表示される画面を判断する第１判断手段と、撮像画像を含む第１の画面が表示されると前記第１判断手段で判断された場合の上限表示輝度よりも、前記撮像画像および第１のグラフィック画像を含む第２の画面が表示されると前記第１判断手段で判断された場合の上限表示輝度と、前記撮像画像を含まず且つ第２のグラフィック画像を含む第３の画面が表示されると前記第１判断手段で判断された場合の上限表示輝度との少なくとも一方が低くなるように、前記表示手段の上限表示輝度を制御する輝度制御を行う制御手段と、を有する。【選択図】図６
2019053208.tif 000002
【特許請求の範囲】
【請求項１】
画像を含む画面を表示手段に表示する表示制御手段と、
前記表示手段で表示される画面を判断する第１判断手段と、
撮像画像を含む第１の画面が表示されると前記第１判断手段で判断された場合の上限表示輝度よりも、前記撮像画像および第１のグラフィック画像を含む第２の画面が表示されると前記第１判断手段で判断された場合の上限表示輝度と、前記撮像画像を含まず且つ第２のグラフィック画像を含む第３の画面が表示されると前記第１判断手段で判断された場合の上限表示輝度との少なくとも一方が低くなるように、前記表示手段の上限表示輝度を制御する輝度制御を行う制御手段と、
を有する
ことを特徴とする表示装置。
【請求項２】
前記制御手段は、前記第１の画面が表示されると前記第１判断手段で判断された場合の上限表示輝度よりも、前記第２の画面が表示されると前記第１判断手段で判断された場合の上限表示輝度と、前記第３の画面が表示されると前記第１判断手段で判断された場合の上限表示輝度との両方が低くなるように、前記輝度制御を行う
ことを特徴とする請求項１に記載の表示装置。
【請求項３】
前記制御手段は、前記第２の画面が表示されると前記第１判断手段で判断された場合の上限表示輝度よりも、前記第３の画面が表示されると前記第１判断手段で判断された場合の上限表示輝度が低くなるように、前記輝度制御を行う
ことを特徴とする請求項１または２に記載の表示装置。
【請求項４】
前記撮像画像を得るための撮像を行う撮像装置のファインダに物体が近接しているか否かを判断する第２判断手段、をさらに有し、
前記制御手段は、前記ファインダに物体が近接していないと前記第２判断手段で判断された場合の上限表示輝度よりも、前記ファインダに前記物体が近接していると前記第２判断手段で判断された場合の上限表示輝度が低くなるように、前記輝度制御を行う
ことを特徴とする請求項１〜３のいずれか１項に記載の表示装置。
【請求項５】
前記撮像画像を得るための撮像を行う撮像装置にレンズが装着されているか否かを判断する第３判断手段、をさらに有し、
前記制御手段は、前記撮像装置にレンズが装着されていないと前記第３判断手段で判断された場合の上限表示輝度よりも、前記撮像装置にレンズが装着されていると前記第３判断手段で判断された場合の上限表示輝度が低くなるように、前記輝度制御を行う
ことを特徴とする請求項１〜４のいずれか１項に記載の表示装置。
【請求項６】
前記撮像画像が外部装置で表示されているか否かを判断する第４判断手段、をさらに有し、
前記制御手段は、前記撮像画像が外部装置で表示されていないと前記第４判断手段で判断された場合の上限表示輝度よりも、前記撮像画像が外部装置で表示されていると前記第４判断手段で判断された場合の上限表示輝度が低くなるように、前記輝度制御を行う
ことを特徴とする請求項１〜５のいずれか１項に記載の表示装置。
【請求項７】
前記制御手段は、
前記第１の画面が表示されると前記第１判断手段で判断された場合に、前記表示手段の上限表示輝度が、第１の上限表示輝度に制御され、
前記第２の画面が表示されると前記第１判断手段で判断された場合に、前記表示手段の上限表示輝度が、前記第１の上限表示輝度よりも低い第２の上限表示輝度に制御され、
前記第３の画面が表示されると前記第１判断手段で判断された場合に、前記表示手段の上限表示輝度が、前記第２の上限表示輝度よりも低い第３の上限表示輝度に制御されるように、
前記輝度制御を行う
ことを特徴とする請求項１〜３のいずれか１項に記載の表示装置。
【請求項８】
前記撮像画像を得るための撮像を行う撮像装置のファインダに物体が近接しているか否かを判断する第２判断手段、をさらに有し、
前記制御手段は、前記ファインダに物体が近接していると前記第２判断手段で判断された場合に、他の判断結果に依らずに、前記表示手段の上限表示輝度が前記第３の上限表示輝度に制御されるように、前記輝度制御を行う
ことを特徴とする請求項７に記載の表示装置。
【請求項９】
前記撮像画像を得るための撮像を行う撮像装置にレンズが装着されているか否かを判断する第３判断手段、をさらに有し、
前記制御手段は、前記撮像装置にレンズが装着されていないと前記第３判断手段で判断された場合に、他の判断結果に依らずに、前記表示手段の上限表示輝度が前記第３の上限表示輝度に制御されるように、前記輝度制御を行う
ことを特徴とする請求項７または８に記載の表示装置。
【請求項１０】
前記撮像画像が外部装置で表示されているか否かを判断する第４判断手段、をさらに有し、
前記制御手段は、前記撮像画像が前記外部装置で表示されていると前記第４判断手段で判断された場合に、他の判断結果に依らずに、前記表示手段の上限表示輝度が前記第３の上限表示輝度に制御されるように、前記輝度制御を行う
ことを特徴とする請求項７〜９のいずれか１項に記載の表示装置。
【請求項１１】
前記制御手段は、前記表示手段の上限表示輝度が段階的に変化するように、前記輝度制御を行う
ことを特徴とする請求項１〜１０のいずれか１項に記載の表示装置。
【請求項１２】
前記撮像画像のダイナミックレンジは、前記第１のグラフィック画像のダイナミックレンジ、及び、前記第２のグラフィック画像のダイナミックレンジよりも広い
ことを特徴とする請求項１〜１１のいずれか１項に記載の表示装置。
【請求項１３】
前記第１のグラフィック画像と前記第２のグラフィック画像とのそれぞれは、メニュー画像である
ことを特徴とする請求項１〜１２のいずれか１項に記載の表示装置。
【請求項１４】
前記制御手段は、前記表示手段で表示される画面のデータ輝度と前記表示手段の表示輝度との対応関係である入出力特性として、データ輝度の増加に対して表示輝度が線形に増加する特性が実現されるように、前記輝度制御を行う
ことを特徴とする請求項１〜１３のいずれか１項に記載の表示装置。
【請求項１５】
前記制御手段は、所定の表示モードが設定されている場合に、前記輝度制御を行う
ことを特徴とする請求項１〜１４のいずれか１項に記載の表示装置。
【請求項１６】
前記表示手段は、
発光部と、
前記発光部から発せられた光を画像データに基づいて透過することにより、前記画面
を表示する表示パネルと、
を有し、
前記制御手段は、前記発光部の発光輝度を制御する処理を少なくとも行うことにより、前記表示手段の上限表示輝度を制御する
ことを特徴とする請求項１〜１５のいずれか１項に記載の表示装置。
【請求項１７】
前記制御手段は、前記表示手段で表示される画面の各階調値を変換する処理を少なくとも行うことにより、前記表示手段の上限表示輝度を制御する
ことを特徴とする請求項１〜１６のいずれか１項に記載の表示装置。
【請求項１８】
画像を含む画面を表示手段に表示する表示制御ステップと、
前記表示手段で表示される画面を判断する判断ステップと、
撮像画像を含む第１の画面が表示されると前記判断ステップで判断された場合の上限表示輝度よりも、前記撮像画像および第１のグラフィック画像を含む第２の画面が表示されると前記判断ステップで判断された場合の上限表示輝度と、前記撮像画像を含まず且つ第２のグラフィック画像を含む第３の画面が表示されると前記判断ステップで判断された場合の上限表示輝度との少なくとも一方が低くなるように、前記表示手段の上限表示輝度を制御する輝度制御を行う制御ステップと、
を有する
ことを特徴とする表示装置の制御方法。
【請求項１９】
コンピュータを、請求項１〜１７のいずれか１項に記載の表示装置の各手段として機能させるためのプログラム。
【発明の詳細な説明】
【技術分野】
【０００１】
本発明は、表示装置及びその制御方法に関する。
【背景技術】
【０００２】
近年、広いダイナミックレンジを有する画像データ（撮像画像データ；被写体の画像を表す画像データ）を撮像可能な撮像装置が増している。広いダイナミックレンジは「Ｈｉｇｈ  Ｄｙｎａｍｉｃ  Ｒａｎｇｅ（ＨＤＲ）」などと呼ばれ、ＨＤＲを有する画像データは「ＨＤＲ画像データ」などと呼ばれている。そして、画像制作、装置（画像処理装置、表示装置、等）の開発、等の現場において、ＨＤＲ画像データが想定される機会が増している。
【０００３】
ＨＤＲ画像データに忠実な画像を表示するためには、高精度な表示装置が必要となる。例えば、上限表示輝度が高く、且つ、コントラストが高い画像を表示可能であり、且つ、ダイナミックレンジが広い画像を表示可能な表示装置が必要となる。ＨＤＲ画像データに忠実な画像を表示可能な表示装置を、以後、「ＨＤＲ表示装置」と記載する。例えば、上限表示輝度が１０００ｎｉｔ（＝１０００ｃｄ／ｍ２）以上であり、且つ、下限表示輝度が０．０３ｎｉｔ以下であるという条件を満たす表示装置をＨＤＲ表示装置と定義してもよい。上限表示輝度が１０００ｎｉｔ以上であり、且つ、下限表示輝度が０．０５ｎｉｔ以下であるという条件を満たす液晶表示装置をＨＤＲ表示装置と定義してもよい。上限表示輝度が５４０ｎｉｔ以上であり、且つ、下限表示輝度が０．０００５ｎｉｔ以下であるという条件を満たす自発光型表示装置（有機ＥＬ表示装置など）をＨＤＲ表示装置と定義してもよい。
【０００４】
しかしながら、種々の現場において、ＨＤＲ表示装置が使用できるとは限らない。例えば、撮影現場では、電源の制約、携行品の制約、等により、非ＨＤＲ表示装置が使用されることが多い。非ＨＤＲ表示装置は、ＨＤＲ表示装置でないＳＤＲ（Ｓｔａｎｄａｒｄ  Ｄｙｎａｍｉｃ  Ｒａｎｇｅ）表示装置、表示能力が制限されたＨＤＲ表示装置、等である。非ＨＤＲ表示装置は、例えば、表示輝度のダイナミックレンジが狭く、且つ、上限表示輝度が低い表示装置である。そして、非ＨＤＲ表示装置は、ＨＤＲ画像データに忠実な画像を表示できない。上限表示輝度が１００ｎｉｔ以下の液晶表示装置や自発光型表示装置を非ＨＤＲ表示装置と定義してもよいし、上限表示輝度が５００ｎｉｔ以下の液晶表示装置や自発光型表示装置を非ＨＤＲ表示装置と定義してもよい。
【０００５】
そこで、非ＨＤＲ表示装置では、ＨＤＲ画像データの階調性をユーザが確認できるように、ＨＤＲ画像データのデータ輝度と非ＨＤＲ表示装置の表示輝度との対応関係が図４（Ａ）に示す対応関係であるＨＤＲアシスト表示が行われることがある。図４（Ａ）の対応関係では、下限データ輝度から上限データ輝度へのＨＤＲ画像データのデータ輝度の増加に対して、非ＨＤＲ表示装置の表示輝度が下限表示輝度から上限表示輝度へ線形に増加する。
【０００６】
ここで、ＨＤＲ表示装置や非ＨＤＲ表示装置などの表示装置では、表示輝度の増加によって、表示装置の消費電力や温度が増加する。特に、１０００ｎｉｔ以上の高い表示輝度での表示では、消費電力や温度が著しく増加する。また、表示装置の筐体が小さいほど表示装置の温度は増加しやすい。そのため、高い表示輝度での表示が行えなかったり、高い表示輝度での表示を行える時間が制限されたりすることがある。すなわち、表示能力を制限して表示装置を使用せざるを得ないことがある。そのため、表示装置の低消費電力化が求められている。
【０００７】
低消費電力化に関する技術は、例えば、特許文献１に開示されている。特許文献１に開示の技術では、入力画像に応じてバックライトの発光強度が制御され、バックライトの発光強度に応じて入力画像が補正される。それにより、高ダイナミックレンジかつ低消費電力の画像表示が行われる。
【先行技術文献】
【特許文献】
【０００８】
【特許文献１】特開２０１０−２２４０１４号公報
【発明の概要】
【発明が解決しようとする課題】
【０００９】
ＨＤＲアシスト表示は、入力画像のデータ輝度が低いデータ輝度範囲と入力画像のデータ輝度が高いデータ輝度範囲とのそれぞれについて入力画像の階調性を確認するために行われることが多い。しかしながら、特許文献１に開示の技術で表示された画像では、そのような階調性が確認できない。そのため、特許文献１に開示の技術は、ＨＤＲアシスト表示には適さない。
【００１０】
本発明は、ユーザおよび表示装置にとって好適な表示をより確実に実現できる技術を提供することを目的とする。
【課題を解決するための手段】
【００１１】
本発明の第１の態様は、
画像を含む画面を表示手段に表示する表示制御手段と、
前記表示手段で表示される画面を判断する第１判断手段と、
撮像画像を含む第１の画面が表示されると前記第１判断手段で判断された場合の上限表示輝度よりも、前記撮像画像および第１のグラフィック画像を含む第２の画面が表示されると前記第１判断手段で判断された場合の上限表示輝度と、前記撮像画像を含まず且つ第２のグラフィック画像を含む第３の画面が表示されると前記第１判断手段で判断された場合の上限表示輝度との少なくとも一方が低くなるように、前記表示手段の上限表示輝度を制御する輝度制御を行う制御手段と、
を有する
ことを特徴とする表示装置である。
【００１２】
本発明の第２の態様は、
画像を含む画面を表示手段に表示する表示制御ステップと、
前記表示手段で表示される画面を判断する判断ステップと、
撮像画像を含む第１の画面が表示されると前記判断ステップで判断された場合の上限表示輝度よりも、前記撮像画像および第１のグラフィック画像を含む第２の画面が表示されると前記判断ステップで判断された場合の上限表示輝度と、前記撮像画像を含まず且つ第２のグラフィック画像を含む第３の画面が表示されると前記判断ステップで判断された場合の上限表示輝度との少なくとも一方が低くなるように、前記表示手段の上限表示輝度を制御する輝度制御を行う制御ステップと、
を有する
ことを特徴とする表示装置の制御方法である。
【００１３】
本発明の第３の態様は、コンピュータを、請求項１〜１７のいずれか１項に記載の表示装置の各手段として機能させるためのプログラムである。
【発明の効果】
【００１４】
本発明によれば、ユーザおよび表示装置にとって好適な表示をより確実に実現できる。
【図面の簡単な説明】
【００１５】
【図１】実施例１に係る撮像装置の構成例を示す図
【図２】実施例１に係る表示処理部の構成例を示す図
【図３】実施例１に係る階調変換処理に関する機能部の一例を示す図
【図４】実施例１に係る入出力特性と変換特性の一例を示す図
【図５】実施例１に係る表示画像の一例を示す図
【図６】実施例１に係る表示画像の一例を示す図
【図７】実施例１に係る入出力特性と変換特性の一例を示す図
【図８】実施例１に係る処理フローの一例を示す図
【図９】実施例１に係る入出力特性の一例を示す図
【図１０】実施例１に係る第１の画面の一例を示す図
【図１１】実施例１に係る第２の画面の一例を示す図
【図１２】実施例１に係る第３の画面の一例を示す図
【図１３】実施例２に係る撮像装置の構成例を示す図
【図１４】実施例２に係る処理フローの一例を示す図
【発明を実施するための形態】
【００１６】
＜実施例１＞
以下、本発明の実施例１について説明する。なお、以下では、本実施例に係る表示装置が撮像装置（デジタルカメラ）に設けられている例を説明するが、本実施例に係る表示装置は、撮像装置とは別体の装置であってもよい。さらに、以下では、表示装置の表示部が、バックライトユニットと液晶パネルを有する液晶表示部である例を説明するが、表示部は液晶表示部に限られない。例えば、発光部と、発光部から発せられた光を画像データに基づいて透過することにより画像を表示する表示パネルと、を有する他の表示部が使用されてもよい。具体的には、表示素子としてＭＥＭＳ（Ｍｉｃｒｏ  Ｅｌｅｃｔｒｏ  Ｍｅｃｈａｎｉｃａｌ  Ｓｙｓｔｅｍ）シャッターを用いたＭＥＭＳシャッター方式表示部が使用されてもよい。自発光型の表示部が使用されてもよい。具体的には、有機ＥＬ（Ｅｌｅｃｔｒｏ−Ｌｕｍｉｎｅｓｃｅｎｃｅ）表示パネル、プラズマ表示パネル、等が使用されてもよい。
【００１７】
本実施例に係る撮像装置（デジタルビデオカメラ）の構成について、図１を用いて説明する。図１は、本実施例に係る撮像装置の構成例を示す。
【００１８】
制御部１０１は、撮像装置の様々な処理を行う。制御部１０１には、信号処理部１０３、記録・再生部１０４、液晶表示部１０５、バックライト駆動部１０９、電源操作部１１２、操作部１１３、メモリ１１４、ＨＤＲアシストモード検出部１１５、及び、画面判断部１１６が接続されている。制御部１０１は、データ処理部１１０と表示処理部１１１を有し、液晶表示部１０５は、タッチパネル１０６、液晶パネル１０７、及び、バックライトユニット１０８を有する。
【００１９】
画像・音声入力部１０２は、画像を表すアナログ信号である画像信号と、音声を表すアナログ信号である音声信号とを取得し、画像信号と音声信号を信号処理部１０３へ出力する。本実施例では、画像・音声入力部１０２は、撮像部（撮像センサ；撮像素子）と音声入力部（マイクロフォン）とを有する。被写体からの光は、レンズを介して、撮像部に入射する。それにより、被写体を表す光学像が撮像部に形成（結像）される。撮像部は、形成された光学像を、所定の信号フォーマットを有する画像信号に変換し、画像信号を出力する。音声入力部は、入力された音声を音声信号に変換し、音声信号を出力する。
【００２０】
信号処理部１０３は、画像・音声入力部１０２から出力されたアナログ信号に所定の信号処理を施す。所定の信号処理は、画像信号に対する処理、音声信号に対する処理、または、それらの両方を含む。所定の信号処理は、例えば、ノイズ成分を低減するノイズリダクション処理、信号レベルを一定に保つＡＧＣ（Ａｕｔｏｍａｔｉｃ  Ｇａｉｎ  Ｃｏｎｔｒｏｌ）処理、等を含む。信号処理部１０３は、所定の信号処理後のアナログ信号をデジタル信号（デジタルデータ）に変換するＡ／Ｄ変換部を有する。信号処理部１０３は、Ａ／Ｄ変換部によって得られたデジタルデータ（画像を表すデジタルデータである画像データ、及び、音声を表すデジタルデータである音声データ）を制御部１０１へ出力する。
【００２１】
記録・再生部１０４は、記録処理、再生処理、等を行う。記録処理は、制御部１０１から記録・再生部１０４へ出力されたデジタルデータ（画像データと音声データ）を記憶部に記録する処理である。再生処理は、記憶部からデジタルデータ（画像データと音声データ）を読み出し、読み出したデジタルデータを制御部１０１へ出力する処理である。本実施例では、記録・再生部１０４は、制御部１０１からの指示に応じて記録処理と再生処理を切り替えて実行する。
【００２２】
タッチパネル１０６は、撮像装置に対する様々な操作を受け付け可能な操作部である。例えば、タッチパネル１０６は、表示モードの設定を指示するモード設定操作、表示モードの設定の解除を指示するモード解除操作、記録処理の実行を指示する記録操作、再生処理の実行を指示する再生操作、等を受け付けることができる。具体的には、タッチパネル１０６は、タッチパネル１０６に対するユーザの接触を検出し、接触の検出結果（接触位置、接触時間、接触位置の変化、等）を制御部１０１へ出力する。制御部１０１は、接触の検出結果から、行われた操作を判断する。本実施例では、タッチパネル１０６は、液晶パネル１０７の表示面上に設けられている。タッチパネル１０６は、他の位置に設けられていてもよい。撮像装置に対してユーザがモード設定操作を行うと、制御部１０１は、モード設定操作に対応する表示モードを設定する。制御部１０１は、複数の表示モードのうちの１つ以上の表示モードを設定できる。撮像装置に対してユーザがモード解除操作を行うと、制御部１０１は、モード解除操作に対応する表示モードの設定を解除する。
【００２３】
制御部１０１の表示制御により、画像データ（入力画像データ）に基づく画像が液晶表示部１０５に表示される。具体的には、制御部１０１から液晶パネル１０７へ画像データが出力されると、液晶パネル１０７の透過率が、液晶パネル１０７へ出力された画像データに応じた透過率に制御される。バックライトユニット１０８は、液晶パネル１０７の背面に光を照射する。そして、バックライトユニット１０８からの光が液晶パネル１０７を透過することにより、画像が表示される。なお、非ＨＤＲの液晶パネル１０７のダイナミックレンジは、ＨＤＲの入力画像データのダイナミックレンジよりも狭い。例えば、非ＨＤＲの液晶パネル１０７の上限表示輝度（表示面上の輝度である表示輝度の上限）は、１００ｎｉｔ以下である。非ＨＤＲの液晶パネル１０７の上限表示輝度は、１００ｎｉｔより大きく、且つ、５００ｎｉｔ以下であってもよい。非ＨＤＲの液晶パネル１０７の上限表示輝度は、１０００ｎｉｔ以下であってもよい。
【００２４】
バックライト駆動部１０９は、バックライトユニット１０８へ駆動信号を供給する。例えば、バックライト駆動部１０９は、バックライトユニット１０８へ電流を供給する電源回路である。バックライトユニット１０８は、供給された駆動信号に応じた発光輝度（発光量）で発光する。制御部１０１は、バックライトユニット１０８の発光輝度を制御できる。具体的には、制御部１０１は、バックライト駆動部１０９から出力される駆動信号を制御できる。駆動信号が制御されることにより、バックライトユニット１０８の発光輝度が制御される。制御部１０１は、例えば、入力画像データ、撮像装置に対する操作、等に基づいて、駆動信号（バックライトユニット１０８の発光輝度）を制御する。本実施例では、制御部１０１は、１０００ｎｉｔ以下の範囲で液晶表示部１０５の上限表示輝度が制
御されるように、駆動信号を制御できる。
【００２５】
データ処理部１１０は、入力画像データと入力音声データを取得する。例えば、再生処理が行われている期間において、データ処理部１１０は、記録・再生部１０４から出力された画像データを入力画像データとして取得し、記録・再生部１０４から出力された音声データを入力音声データとして取得する。再生処理が行われていない期間において、データ処理部１１０は、信号処理部１０３から出力された画像データを入力画像データとして取得し、信号処理部１０３から出力された音声データを入力音声データとして取得する。本実施例では、撮像装置に対してユーザが再生操作を行うと、制御部１０１は、記録・再生部１０４に対して再生処理の実行を指示し、記録・再生部１０４は再生処理を行う。入力画像データは、撮像された画像データ（撮像画像データ；被写体の画像を表す画像データ）である。入力画像データは、静止画像データであってもよいし、動画像データであってもよい。
【００２６】
データ処理部１１０は、液晶表示部１０５で表示される画面を表す画面データ（画像データ）を少なくとも生成する。画面データによって表された画面は１つ以上の画像を含む。データ処理部１１０は、画面データを表示処理部１１１へ出力する。
【００２７】
例えば、データ処理部１１０は、取得したデジタルデータに所定のデータ処理を施す。所定のデータ処理は、入力画像データに対する処理、入力音声データに対する処理、または、それらの両方を含む。所定のデータ処理は、例えば、デジタルデータのデータフォーマットを変換するフォーマット変換処理、入力画像データの画像サイズを変換するリサイズ処理、グラフィック画像データを入力画像データに合成する合成処理、等を含む。グラフィック画像データは、例えば、メニュー画像などを表すＯＳＤ（Ｏｎ  Ｓｃｒｅｅｎ  Ｄｉｓｐｌａｙ）画像データである。そして、データ処理部１１０は、所定のデータ処理後の画像データを画面データとして表示処理部１１１へ出力し、所定のデータ処理後の音声データをスピーカーへ出力する。スピーカーは、スピーカーへ出力された音声データに応じた音声を発する。データ処理部１１０は、入力画像データを用いずに画面データを生成することもできる。
【００２８】
また、データ処理部１１０は、信号処理部１０３から出力されたデジタルデータ（画像データと音声データ）を、記録・再生部１０４へ出力できる。本実施例では、撮像装置に対してユーザが記録操作を行うと、制御部１０１は、記録・再生部１０４に対して記録処理の実行を指示し、データ処理部１１０は、信号処理部１０３から出力されたデジタルデータを記録・再生部１０４へ出力する。そして、記録・再生部１０４は記録処理を行う。
【００２９】
表示処理部１１１は、設定されている表示モードに基づく処理を行う。そして、表示処理部１１１は、上記処理（設定されている表示モードに基づく処理）後の画像データを、液晶パネル１０７へ出力する。液晶パネル１０７へ出力される画像データは、データ処理部１１０から出力された画面データに基づく画像データである。そのため、液晶表示部１０５において、画面データに基づく画面が表示される。
【００３０】
電源操作部１１２は、撮像装置の起動を指示する起動操作と、撮像装置の停止を指示する停止操作とを受け付け可能な操作部（スイッチなど）である。起動操作は「オフ状態からオン状態への切り替え（撮像装置の電源状態の切り替え）を指示する操作」とも言えるし、停止操作は「オン状態からオフ状態への電源状態の切り替えを指示する操作」とも言える。撮像装置に対してユーザが起動操作を行うと、制御部１０１は、撮像装置を起動するための起動処理を行う。撮像装置に対してユーザが停止操作を行うと、制御部１０１は、撮像装置を停止するための停止処理を行う。
【００３１】
操作部１１３は、撮像装置に対する様々な操作を受け付け可能な操作部（スイッチなど）である。例えば、操作部１１３は、モード設定操作、モード解除操作、記録操作、再生操作、等を受け付けることができる。操作部１１３が受け付け可能な操作は、タッチパネル１０６が受け付け可能な操作と同じであってもよいし、異なっていてもよい。
【００３２】
メモリ１１４は、制御部１０１の処理で使用されるデータなどを一時的に記憶する。
【００３３】
ＨＤＲアシストモード検出部１１５は、ＨＤＲアシストモードの設定を検出する。そして、ＨＤＲアシストモード検出部１１５は、ＨＤＲアシストモードの設定の検出結果を、表示処理部１１１へ出力する。換言すれば、ＨＤＲアシストモード検出部１１５は、ＨＤＲアシストモードが設定されているか否かを判断する。そして、ＨＤＲアシストモード検出部１１５は、ＨＤＲアシストモードが設定されているか否かの判断結果を、表示処理部１１１へ出力する。
【００３４】
ＨＤＲアシストモードは、入力画像データの階調性の低下を抑制して入力画像データに基づく画像を液晶表示部１０５に表示するための表示モードである。本実施例では、ＨＤＲアシストモードでの表示（ＨＤＲアシスト表示）として、図４（Ａ）に示す対応関係での表示が実現される。図４（Ａ）は、入力画像データのデータ輝度と液晶表示部１０５の表示輝度との対応関係を示す。データ輝度は、撮像装置の露出（露光量）に応じて決まる輝度、画像データで想定された輝度、等である。入力画像データのデータ輝度と液晶表示部１０５の表示輝度との対応関係は、「表示装置の入出力特性」、「液晶表示部１０５の入出力特性」、等とも言える。図４（Ａ）の入出力特性では、下限データ輝度から上限データ輝度への入力画像データのデータ輝度の増加に対して、液晶表示部１０５の表示輝度が下限表示輝度から上限表示輝度へ線形に増加する。下限データ輝度はデータ輝度の下限であり、上限データ輝度はデータ輝度の上限であり、下限表示輝度は表示輝度の下限であり、上限表示輝度は表示輝度の上限である。ＨＤＲアシストモードは、例えば、入力画像データのダイナミックレンジ全体（下限データ輝度以上かつ上限データ輝度以下のデータ輝度範囲）の階調性をユーザが確認する場合に設定される。
【００３５】
なお、ＨＤＲアシストモードにおける液晶表示部１０５の入出力特性は、図４（Ａ）の入出力特性に限られない。例えば、ＨＤＲアシストモードの入出力特性において、入力画像データの下限データ輝度は、液晶表示部１０５の下限表示輝度とは異なる表示輝度に対応していてもよい。ＨＤＲアシストモードの入出力特性において、入力画像データの上限データ輝度は、液晶表示部１０５の上限表示輝度とは異なる表示輝度に対応していてもよい。入力画像データのダイナミックレンジの少なくとも一部において、入力画像データのデータ輝度の変化に対して液晶表示部１０５の表示輝度が非線形に変化してもよい。図４（Ａ）には所定の輝度に対する相対輝度がデータ輝度として示されているが、データ輝度は絶対輝度であってもよい。
【００３６】
画面判断部１１６は、液晶表示部１０５で表示される画面を判断し、画面の判断結果を制御部１０１（表示処理部１１１など）へ出力する。本実施例では、データ処理部１１０は、設定されている画面モードに応じた画面データを生成する。そのため、液晶表示部１０５で表示される画面は、設定されている画面モードに応じて決まる。画面判断部１１６は、設定されている画面モードを判断し、画面モードの判断結果を制御部１０１（表示処理部１１１など）へ出力する。
【００３７】
なお、液晶表示部１０５で表示される画面の判断方法は特に限定されない。例えば、画面判断部１１６は、撮像装置（表示装置）に対してユーザが行った操作、データ処理部１１０で行われた処理、等に基づいて画面を判断してもよい。表示装置が撮像装置とは別体の装置である場合には、撮像装置が画面データを生成し、表示装置が入力画像データとし
て画面データを取得することがある。その場合には、画面判断部１１６は、入力画像データ（画面データ）を解析したり、画面（画面モード）に関する情報を撮像装置から取得して解析したりすることにより、画面を判断してもよい。
【００３８】
本実施例では、第１の画面を液晶表示部１０５で表示する第１の画面モード、第２の画面を液晶表示部１０５で表示する第２の画面モード、及び、第３の画面を液晶表示部１０５で表示する第３の画面モードのいずれかが設定される。第１の画面は、撮像画像（入力画像データによって表された画像；被写体の画像）を含む画面である。例えば、第１の画面は、撮影一時停止中を表す画面、撮影中を表す画面、等のように、被写体の確認をするための画面である。図１０は、第１の画面の一例を示す。第２の画面は、撮像画像と第１のグラフィック画像を含む画面である。例えば、第１のグラフィック画像はメニュー画像であり、第２の画面は、撮像画像を確認しながら各種設定（シャッタースピードの変更、ホワイトバランスの変更、等）を行うための画面である。図１１は、第２の画面の一例を示す。第３の画面は、撮像画像を含まず且つ第２のグラフィック画像を含む画面である。例えば、第２のグラフィック画像はメニュー画像であり、第３の画面は、撮像画像を確認せずに各種設定を行うための画面である。図１２は、第３の画面の一例を示す。
【００３９】
なお、第１のグラフィック画像と第２のグラフィック画像とのそれぞれは、メニュー画像に限られない。例えば、第１のグラフィック画像と第２のグラフィック画像とのそれぞれは、各種情報（操作方法、警告、等）を表す画像であってもよい。また、撮像画像、第１のグラフィック画像、及び、第２のグラフィック画像のダイナミックレンジ（画像データのダイナミックレンジ）は特に限定されない。本実施例では、撮像画像のダイナミックレンジが、第１のグラフィック画像のダイナミックレンジ、及び、第２のグラフィック画像のダイナミックレンジよりも広いとする。
【００４０】
本実施例では、ＨＤＲアシストモードが設定されている場合に、制御部１０１は、画面判断部１１６の判断結果に基づいて、以下の条件１−１，１−２を満たすように液晶表示部１０５の上限表示輝度を制御する輝度制御を行う。
条件１−１：第１の画面が表示されると画面判断部１１６で判断された場合の上限表示輝度よりも、第２の画面が表示されると画面判断部１１６で判断された場合の上限表示輝度が低い。
条件１−２：第２の画面が表示されると画面判断部１１６で判断された場合の上限表示輝度よりも、第３の画面が表示されると画面判断部１１６で判断された場合の上限表示輝度が低い。
【００４１】
具体的には、図９に示すように、ＨＤＲアシストモードと第１の画面モードが設定されている場合に、制御部１０１は、液晶表示部１０５の上限表示輝度を上限表示輝度α１に制御する。ＨＤＲアシストモードと第２の画面モードが設定されている場合に、制御部１０１は、液晶表示部１０５の上限表示輝度を、上限表示輝度α１よりも低い上限表示輝度α２に制御する。そして、ＨＤＲアシストモードと第３の画面モードが設定されている場合に、制御部１０１は、液晶表示部１０５の上限表示輝度を、上限表示輝度α２よりも低い上限表示輝度α３に制御する。本実施例では、図９に示すように、上限表示輝度α１は１０００ｎｉｔであり、上限表示輝度α２は７５０ｎｉｔであり、上限表示輝度α３は２５０ｎｉｔである。
【００４２】
なお、上限表示輝度α１，α２，α３は特に限定されない。条件１−１，１−２の少なくとも一方が満たされなくてもよい。例えば、条件１−１のみが満たされるように、上限表示輝度α３と等しく且つ上限表示輝度α１よりも低い上限表示輝度が、上限表示輝度α２として使用されてもよい。条件１−２のみが満たされるように、上限表示輝度α１と等しく且つ上限表示輝度α３よりも高い上限表示輝度が、上限表示輝度α２として使用され
てもよい。上限表示輝度α１，α２，α３は、予め定められた固定輝度であってもよいし、ユーザが変更可能な輝度であってもよい。
【００４３】
表示処理部１１１の構成について、図２を用いて説明する。図２は、表示処理部１１１の構成例を示す。画面データのデータフォーマットは特に限定されないが、本実施例では、データ処理部１１０から階調変換部２００へ、画面データとしてＹＣｂＣｒデータ（変換前ＹＣｂＣｒデータ）が出力される。ＹＣｂＣｒデータは、各画素値がＹＣｂＣｒ値（Ｙ値、Ｃｒ値、及び、Ｃｂ値の組み合わせ）の画像データである。
【００４４】
階調変換部２００は、変換前ＹＣｂＣｒデータの各階調値を変換することにより、変換後ＹＣｂＣｒデータを生成する。本実施例では、階調変換部２００は、変換前ＹＣｂＣｒデータのＹＣｂＣｒ値と、変換後ＹＣｂＣｒデータのＹＣｂＣｒ値との対応関係を示す３次元ルックアップテーブル（３ＤＬＵＴ）を用いて、変換前ＹＣｂＣｒデータの各ＹＣｂＣｒ値を変換する。そして、階調変換部２００は、変換後ＹＣｂＣｒデータを、Ｇａｉｎ／シャープネス補正部２０１とＧａｉｎ／色補正部２０２へ出力する。具体的には、階調変換部２００は、変換後ＹＣｂＣｒデータに含まれる輝度データ（各Ｙ値）をＧａｉｎ／シャープネス補正部２０１へ出力し、変換後ＹＣｂＣｒデータに含まれる色差データ（各Ｃｂ値と各Ｃｒ値）をＧａｉｎ／色補正部２０２へ出力する。なお、階調値の変換方法は、特に限定されない。例えば、階調変換部２００は、ルックアップテーブルの代わりに、変換前の値（階調値、画素値、等）と変換後の値との対応関係を示す関数を使用してもよい。
【００４５】
Ｇａｉｎ／シャープネス補正部２０１は、変換後ＹＣｂＣｒデータに含まれる輝度データに所定の処理を施すことにより、処理輝度データを生成する。所定の処理は、例えば、階調値を調整するゲイン調整処理、エッジを強調するシャープネス補正処理、等を含む。そして、Ｇａｉｎ／シャープネス補正部２０１は、処理輝度データをＲＧＢ変換部２０３へ出力する。
【００４６】
Ｇａｉｎ／色補正部２０２は、変換後ＹＣｂＣｒデータに含まれる色差データに所定の処理を施すことにより、処理色差データを生成する。所定の処理は、例えば、ゲイン調整処理、色（彩度、色相、等）を調整する色補正処理、等を含む。そして、Ｇａｉｎ／色補正部２０２は、処理色差データをＲＧＢ変換部２０３へ出力する。
【００４７】
ＲＧＢ変換部２０３は、処理輝度データと処理色差データの組み合わせ（各画素値が、処理画像データのＹ値、処理色差データのＣｂ値、及び、処理色差データのＣｒ値の組み合わせであるＹＣｂＣｒデータ）を、ＲＧＢデータに変換する。ＲＧＢデータは、各画素値がＲＧＢ値（Ｒ値、Ｇ値、及び、Ｂ値の組み合わせ）の画像データである。例えば、ＲＧＢ変換部２０３は、一次元マトリクス演算処理により、ＹＣｂＣｒデータをＲＧＢデータに変換する。そして、ＲＧＢ変換部２０３は、ＲＧＢデータを液晶パネル１０７へ出力する。
【００４８】
本実施例では、階調変換部２００の処理が少なくとも行われるにより、液晶表示部１０５の入出力特性を変換する階調変換処理が実現される。本実施例に係る階調変換処理（ＨＤＲアシストモードが設定されている場合の階調変換処理、及び、ＨＤＲアシストモードが設定されていない場合の階調変換処理）の一例について説明する。図３は、階調変換処理に関する機能部の一例を示す。図３に示すように、本実施例では、データ処理部１１０から階調変換部２００へ、画面データが出力される。階調変換部２００は、画面データの各階調値を変換する。そして、各階調値が変換された後の画像データが、液晶パネル１０７へ出力され、表示される。
【００４９】
ＨＤＲアシストモードが設定されている場合の階調変換処理は上述した輝度制御を含むが、ここでは輝度制御を省いて階調変換処理を説明する。ＨＤＲアシストモードが設定されている場合には、制御部１０１は、入力画像データの階調性の低下を抑制して入力画像データに基づく画像を液晶表示部１０５に表示するための階調変換処理（第１の階調変換処理）を行う。本実施例では、制御部１０１は、第１の階調変換処理として、図４（Ａ）に示す入出力特性での表示を実現するための階調変換処理を行う。具体的には、階調変換部２００は、図４（Ｂ）の変換特性（変換前の階調値と変換後の階調値）を示すＬＵＴ（３ＤＬＵＴ）１を用いて、画面データの各階調値を変換する。図４（Ｂ）に示す変換特性で変換された後の画像データが液晶パネル１０７へ入力されることで、液晶表示部１０５の入出力特性は、図４（Ａ）に示す入出力特性となる。なお、図４（Ｂ）には、変換前の階調値と変換後の階調値とのそれぞれが１０ビットの値（０以上かつ１０２３以下）である例が示されているが、それら階調値のビット数は特に限定されない。
【００５０】
液晶パネル１０７は、例えば、ガンマ２．２などのガンマ特性、製造時の個体バラツキなどに起因した変化、等を含む特性を有している。液晶パネル１０７が有する特性を考慮して、図４（Ｂ）の変換特性が決定される。図４（Ｂ）の変換特性は、「液晶パネル１０７が有する特性の逆特性（逆ガンマ特性に類似した特性）に対応する変換特性」とも言える。
【００５１】
第１の階調変換処理が行われた場合の表示画像（画面に表示された画像）の一例を図５に示す。第１の階調変換処理が行われた場合には、図５に示すように、階調潰れが抑制された画像が表示される。そして、ユーザは、低輝度から高輝度までの階調性を高精度（容易）に確認できる。そのため、第１の階調変換処理は、入力画像データのダイナミックレンジ全体の階調性をユーザが確認する場合に好ましい階調変換処理である。入力画像データに含まれるデータ輝度の殆どは、０％以上かつ１００％以下である。そのため、第１の階調変換処理が行われる場合には、上限表示輝度が或る程度高くないと、全体的に暗い画像が表示されてしまう。
【００５２】
ＨＤＲアシストモードが設定されていない場合には、スタンダードモードが設定されている。スタンダードモードは、例えば、非ＨＤＲ（ＳＤＲ）の液晶パネル１０７でＳＤＲ画質を確認するのに適した表示モードである。スタンダードモードが設定されている場合には、制御部１０１は、入力画像データに対してより忠実な入出力特性で入力画像データに基づく画像を液晶表示部１０５に表示するための階調変換処理（第２の階調変換処理）を行う。本実施例では、制御部１０１は、第２の階調変換処理として、図７（Ａ）に示す入出力特性での表示を実現するための階調変換処理を行う。具体的には、階調変換部２００は、ＬＵＴ１とは異なるＬＵＴ２（例えば、ＢＴ．７０９規格に準拠した３ＤＬＵＴ）を用いて、画面データの各階調値を変換する。本実施例では、ＬＵＴ２は、図７（Ｂ）の変換特性を示す。図７（Ｂ）に示す変換特性で変換された後の画像データが液晶パネル１０７へ入力されることで、液晶表示部１０５の入出力特性は、図７（Ａ）に示す入出力特性となる。図７（Ｂ）の変換特性も、液晶パネル１０７が有する特性を考慮して決定される。
【００５３】
第２の階調変換処理が行われた場合の表示画像の一例を図６に示す。第２の階調変換処理が行われた場合には、画面データのデータ輝度が低いデータ輝度範囲、画面データのデータ輝度が高いデータ輝度範囲、等において、階調潰れが生じる。図６の例では、雲の画像領域と、家の画像領域とで階調潰れが生じている。
【００５４】
図７（Ａ）の入出力特性では、低データ輝度側に対して、高データ輝度側よりも多くの表示輝度が対応付けられている。しかしながら、第２の階調変換処理の入出力特性は、図７（Ａ）の入出力特性に限られない。例えば、中間データ輝度（高くも低くもないデータ
輝度）の範囲に対して、他のデータ輝度の範囲よりも多くの表示輝度が対応付けられてもよい。ＨＤＲアシストモードが設定されていない場合には、階調変換処理が省略されてもよい。
【００５５】
本実施例に係る撮像装置の処理フローの一例について、図８を用いて説明する。図８は、本実施例に係る撮像装置の処理フローの一例を示すフローチャートである。図８の処理フローは、例えば、電源操作部１１２を用いた起動操作、操作部１１３を用いた記録操作、等に応じて実行される。
【００５６】
Ｓ８０１にて、ＨＤＲアシストモード検出部１１５が、ＨＤＲアシストモードが設定されているか否かを判断する。ＨＤＲアシストモードが設定されている場合には、Ｓ８０２へ処理が進められ、ＨＤＲアシストモードが設定されていない場合には、Ｓ８０７へ処理が進められる。
【００５７】
Ｓ８０２にて、表示処理部１１１（階調変換部２００）が、ＬＵＴ１（図４（Ｂ））を用いて画面データの各階調値を変換する。そして、Ｓ８０３へ処理が進められる。Ｓ８０７にて、表示処理部１１１（階調変換部２００）が、ＬＵＴ２（図７（Ｂ））を用いて画面データの各階調値を変換する。そして、Ｓ８０８へ処理が進められる。
【００５８】
Ｓ８０３にて、画面判断部１１６が、設定されている画面モードが何かを判断する。第１の画面モード（図１０）が設定されていると判断された場合には、Ｓ８０４へ処理が進められる。第２の画面モード（図１１）が設定されていると判断された場合には、Ｓ８０５へ処理が進められる。第３の画面モード（図１２）が設定されていると判断された場合には、Ｓ８０５へ処理が進められる。
【００５９】
Ｓ８０４にて、制御部１０１が、バックライトユニット１０８の発光輝度を発光輝度β１（≒α１）に制御する。そして、Ｓ８０８へ処理が進められる。Ｓ８０４の処理により、液晶表示部１０５の上限表示輝度が上限表示輝度α１＝１０００ｎｉｔに制御される。その結果、液晶表示部１０５の入出力特性として、図９の入出力特性９０１（実線）が実現される。それにより、ユーザにとって好適な表示が実現される。第１の画面が表示される場合には、ユーザが撮像画像を確認する可能性が非常に高い。そして、表示画像が明るい場合には、表示画像が暗い場合に比べ、入力画像データのダイナミックレンジ全体の階調性が確認しやすい。上限表示輝度α１は高いため、Ｓ８０４の処理により、第１の画面が高輝度で表示され、入力画像データ（撮像画像）のダイナミックレンジ全体の階調性が確認しやすい表示が実現される。
【００６０】
Ｓ８０５にて、制御部１０１が、バックライトユニット１０８の発光輝度を発光輝度β２（≒α２）に制御する。そして、Ｓ８０８へ処理が進められる。Ｓ８０５の処理により、液晶表示部１０５の上限表示輝度が上限表示輝度α２＝７５０ｎｉｔに制御される。その結果、液晶表示部１０５の入出力特性として、図９の入出力特性９０２（破線）が実現される。それにより、ユーザと撮像装置の両方にとって好適な表示が実現される。第２の画面が表示される場合には、ユーザが撮像画像を確認する可能性がそれほど高くない。Ｓ８０５の処理により、上限表示輝度α１の場合の輝度よりも低い輝度で第２の画面が表示されるため、撮像装置の消費電力や温度の増加を抑制できる。そして、上限表示輝度α２は或る程度高いため、第２の画面が或る程度高い輝度で表示され、入力画像データ（撮像画像）のダイナミックレンジ全体の階調性が或る程度確認しやすい表示が実現される。
【００６１】
Ｓ８０６にて、制御部１０１が、バックライトユニット１０８の発光輝度を発光輝度β３（≒α３）に制御する。そして、Ｓ８０８へ処理が進められる。Ｓ８０６の処理により、液晶表示部１０５の上限表示輝度が上限表示輝度α３＝２５０ｎｉｔに制御される。そ
の結果、液晶表示部１０５の入出力特性として、図９の入出力特性９０３（一点鎖線）が実現される。それにより、ユーザと撮像装置の両方にとって好適な表示が実現される。第３の画面が表示される場合には、ユーザが撮像画像を確認することは無い。Ｓ８０６の処理により、上限表示輝度α１，α２の場合の輝度よりも低い輝度で第３の画面が表示されるため、撮像装置の消費電力や温度の増加をより抑制できる。そして、低輝度で第３の画面が表示されても、ユーザが撮像画像を確認することは無いため、ユーザにとっての問題（撮像装置の使い難さなど）は生じ難い。
【００６２】
なお、制御部１０１は、液晶表示部１０５に表示される画面の切り替えに応じて液晶表示部１０５の上限表示輝度が瞬時に切り替わるように、バックライトユニット１０８の発光輝度を制御してもよいし、そうでなくてもよい。例えば、制御部１０１は、画面の切り替えに応じて、切り替え前の画面に対応する上限表示輝度から、切り替え後の画面に対応する上限表示輝度へ、液晶表示部１０５の上限表示輝度が段階的に変化するように、バックライトユニットの発光輝度を制御してもよい。
【００６３】
Ｓ８０８にて、制御部１０１が、電源操作部１１２を用いた停止操作が行われたか否かを判断する。停止操作が行われていない場合には、Ｓ８０１へ処理が戻される。そして、停止操作が行われるまで、Ｓ８０１〜Ｓ８０８の処理が繰り返される。停止操作が行われると、本処理フローが終了される。
【００６４】
なお、図８の処理フローを終了するか否かの判断方法は、特に限定されない。例えば、再生終了操作（再生処理の終了を指示する操作）が行われるまでＳ８０１〜Ｓ８０８の処理が繰り返され、再生終了操作に応じて図８の処理フローが終了されてもよい。記録終了操作（記録処理の終了を指示する操作）が行われるまでＳ８０１〜Ｓ８０８の処理が繰り返され、記録終了操作に応じて図８の処理フローが終了されてもよい。
【００６５】
以上述べたように、本実施例によれば、液晶表示部１０５で表示される画面の判断結果に基づいて、液晶表示部１０５の上限表示輝度が制御される。それにより、ユーザおよび表示装置にとって好適な表示をより確実に実現できる。
【００６６】
なお、第１の画面、第２の画面、及び、第３の画面の３つの画面のいずれかが液晶表示部１０５で表示される例を説明したが、表示可能な画面の数は３つより多くてもよい。例えば、５つの画面にそれぞれ対応する５つの上限表示輝度が予め定められ、５つの画面のいずれかが液晶表示部１０５で表示されてもよい。そして、液晶表示部１０５で表示される画面に対応する上限表示輝度に、液晶表示部１０５の上限表示輝度が制御されてもよい。
【００６７】
なお、輝度制御が行われる所定の表示モードはＨＤＲアシストモードに限られない。制御部１０１は、複数の表示モード（所定の表示モード）のそれぞれにおいて輝度制御を行ってもよい。制御部１０１は、或る所定の表示モードが設定されている状態で他の所定の表示モードが設定された場合に、輝度制御を行ってもよい。制御部１０１は、所定の表示モードが設定されているか否かに依らずに輝度制御を行ってもよい。
【００６８】
なお、バックライトユニット１０８の発光輝度を制御する処理により、液晶表示部１０５の上限表示輝度が制御される例を説明したが、これに限られない。制御部１０１は、液晶表示部１０５で表示される画面（画面データ）の各階調値を変換する処理により、液晶表示部１０５の上限表示輝度を制御してもよい。制御部１０１は、階調変換部２００のＬＵＴを制御することにより、液晶表示部１０５の上限表示輝度を制御してもよい。制御部１０１は、バックライトユニット１０８の発光輝度と画面データの各階調値との一方を制御してもよいし、それらの両方を制御してもよい。液晶表示部１０５の代わりに自発光型
の表示部が使用される場合には、制御部１０１は、画面データの各階調値を変換する処理により、液晶表示部１０５の上限表示輝度を制御する。
【００６９】
＜実施例２＞
以下、本発明の実施例２について説明する。なお、以下では、実施例１と異なる点（構成および処理）について詳しく説明し、実施例１と同じ点についての説明は省略する。実施例１では、液晶表示部１０５で表示される画面の判断結果のみに基づいて輝度制御を行う例を説明した。本実施例では、他の判断結果にさらに基づいて輝度制御を行う例を説明する。
【００７０】
本実施例に係る撮像装置の構成について、図１３を用いて説明する。図１３は、本実施例に係る撮像装置の構成例を示す。図１３において、実施例１（図１）と同じ機能部には、実施例１と同じ符号が付されている。図１３に示すように、本実施例に係る撮像装置は、ＥＶＦ１３０１、接眼検出部１３０２、交換レンズ１３０３、レンズ検出部１３０４、及び、無線通信部１３０５をさらに有する。
【００７１】
ＥＶＦ１３０１は、接眼型のＥＶＦ（電子ビューファインダ）である。撮影モードが設定されている場合には、ＥＶＦ１３０１は、スルー画像（現在のタイミングに対応するタイミングでの撮像によって得られた撮像画像）などを表示する。再生モードが設定されている場合には、ＥＶＦ１３０１は、記憶部に格納されている撮像画像などを再生表示する。なお、ＥＶＦ１３０１の代わりに光学ファインダが使用されてもよい。
【００７２】
接眼検出部１３０２は、ＥＶＦ１３０１への接眼を検出する。具体的には、接眼検出部１３０２は、ＥＶＦ１３０１に物体が近接している状態を、接眼の状態として検出し、ＥＶＦ１３０１に物体が近接していない状態を、離眼の状態として検出する。すなわち、接眼検出部１３０２は、ＥＶＦ１３０１に物体が近接しているか否かを判断する。接眼が検出された場合には、ＥＶＦ１３０１での表示が行われ、そうでない場合には、ＥＶＦ１３０１が消灯される。表示装置が撮像装置とは別体の装置である場合には、ＥＶＦ１３０１と接眼検出部１３０２は、撮像装置に設けられる。そして、表示装置（制御部１０１）は、接眼検出部１３０２の処理結果を撮像装置から取得することで、ＥＶＦ１３０１に物体が近接しているか否かを判断できる。
【００７３】
交換レンズ１３０３は、撮像装置に対して着脱可能なレンズである。レンズ検出部１３０４は、撮像装置に対する交換レンズ１３０３の装着を検出する。すなわち、レンズ検出部１３０４は、撮像装置に交換レンズ１３０３が装着されているか否かを判断する。表示装置が撮像装置とは別体の装置である場合には、交換レンズ１３０３とレンズ検出部１３０４は、撮像装置に設けられる。そして、表示装置（制御部１０１）は、レンズ検出部１３０４の処理結果を撮像装置から取得することで、撮像装置に交換レンズ１３０３が装着されているか否かを判断できる。
【００７４】
無線通信部１３０５は、無線通信部を有する外部装置とデータの送受信を行う。例えば、無線通信部１３０５は、電波の送受信を行うアンテナを有する。無線通信部１３０５は、外部装置（例えば、スマートフォンなどの携帯端末）に対して撮像画像などを送信でき、ユーザは、外部装置で表示された撮像画像などを確認できる。制御部１０１は、無線通信部１３０５の通信状態などから、撮像画像が外部装置で表示されているか否かを判断できる。例えば、無線通信部１３０５が撮像画像を外部装置へ送信している場合に、制御部１０１は、撮像画像が外部装置で表示されていると判断する。無線通信部１３０５が撮像画像を外部装置へ送信していない場合に、制御部１０１は、撮像画像が外部装置で表示されていないと判断する。表示装置が撮像装置とは別体の装置である場合には、無線通信部１３０５は、撮像装置に設けられる。そして、表示装置（制御部１０１）は、無線通信部
１３０５の通信状態に関する情報を撮像装置から取得することで、撮像画像が外部装置で表示されているか否かを判断できる。
【００７５】
本実施例に係る撮像装置の処理フローの一例について、図１４を用いて説明する。図１４は、本実施例に係る撮像装置の処理フローの一例を示すフローチャートである。
【００７６】
Ｓ１４０１にて、ＨＤＲアシストモード検出部１１５が、ＨＤＲアシストモードが設定されているか否かを判断する。ＨＤＲアシストモードが設定されている場合には、Ｓ１４０２へ処理が進められ、ＨＤＲアシストモードが設定されていない場合には、Ｓ１４１２へ処理が進められる。
【００７７】
Ｓ１４０２にて、表示処理部１１１（階調変換部２００）が、ＬＵＴ１（図４（Ｂ））を用いて画面データの各階調値を変換する。そして、Ｓ１４０３へ処理が進められる。Ｓ１４１２にて、表示処理部１１１（階調変換部２００）が、ＬＵＴ２（図７（Ｂ））を用いて画面データの各階調値を変換する。そして、Ｓ１４１３へ処理が進められる。
【００７８】
Ｓ１４０３にて、画面判断部１１６が、設定されている画面モードが何かを判断する。第１の画面モード（図１０）が設定されていると判断された場合には、Ｓ１４０４へ処理が進められる。第２の画面モード（図１１）が設定されていると判断された場合には、Ｓ１４０５へ処理が進められる。第３の画面モード（図１２）が設定されていると判断された場合には、Ｓ１４０５へ処理が進められる。
【００７９】
Ｓ１４０４にて、制御部１０１が、バックライトユニット１０８の発光輝度を発光輝度β１（≒α１）に仮決定する。それにより、液晶表示部１０５の上限表示輝度が上限表示輝度α１に仮決定される。Ｓ１４０５にて、制御部１０１が、バックライトユニット１０８の発光輝度を発光輝度β２（≒α２）に仮決定する。それにより、液晶表示部１０５の上限表示輝度が上限表示輝度α２に仮決定される。Ｓ１４０６にて、制御部１０１が、バックライトユニット１０８の発光輝度を発光輝度β３（≒α３）に仮決定する。それにより、液晶表示部１０５の上限表示輝度が上限表示輝度α３に仮決定される。Ｓ１４０４、Ｓ１４０５、または、Ｓ１４０６の処理が行われた後、Ｓ１４０７へ処理が進められる。
【００８０】
Ｓ１４０７にて、接眼検出部１３０２が、ＥＶＦ１３０１に物体が近接しているか否かを判断する。ＥＶＦ１３０１に物体が近接していると接眼検出部１３０２で判断された場合には、Ｓ１４１０へ処理が進められる。ＥＶＦ１３０１に物体が近接していないと接眼検出部１３０２で判断された場合には、Ｓ１４０８へ処理が進められる。
【００８１】
Ｓ１４０８にて、レンズ検出部１３０４が、撮像装置に交換レンズ１３０３が装着されているか否かを判断する。撮像装置に交換レンズ１３０３が装着されていないとレンズ検出部１３０４で判断された場合には、Ｓ１４１０へ処理が進められる。撮像装置に交換レンズ１３０３が装着されているとレンズ検出部１３０４で判断された場合には、Ｓ１４０９へ処理が進められる。
【００８２】
Ｓ１４０９にて、制御部１０１が、無線通信部１３０５の通信状態に基づいて、撮像画像を外部装置で表示するリモート表示が行われているか否かを判断する。リモート表示が行われていると制御部１０１で判断された場合には、Ｓ１４１０へ処理が進められる。リモート表示が行われていないと判断された場合には、Ｓ１４１１へ処理が進められる。
【００８３】
Ｓ１４１０にて、制御部１０１が、バックライトユニット１０８の発光輝度を発光輝度β３（≒α３）に制御する。そして、Ｓ１４１３へ処理が進められる。Ｓ１４１０の処理により、液晶表示部１０５の上限表示輝度が上限表示輝度α３＝２５０ｎｉｔに制御され
る。その結果、図９の入出力特性９０３（一点鎖線）が実現される。それにより、ユーザと撮像装置の両方にとって好適な表示が実現される。具体的には、低輝度で画面が表示されるため、撮像装置の消費電力や温度の増加をより抑制できる。ＥＶＦ１３０１に物体が近接している場合、具体的にはＥＶＦ１３０１への接眼が行われている場合には、ユーザが液晶表示部１０５に表示された撮像画像を確認することは無い。撮像装置に交換レンズ１３０３が装着されていない場合には、ユーザはスルー画像を確認できない。リモート表示が行われている場合には、ユーザが液晶表示部１０５に表示された撮像画像を確認する可能性は非常に低い。そして、Ｓ１４１０の処理は、それらの場合において行われる。そのため、低輝度で画面が表示されても、ユーザにとっての問題（撮像装置の使い難さなど）は生じ難い。
【００８４】
Ｓ１４１１にて、制御部１０１が、バックライトユニット１０８の発光輝度を、Ｓ１４０４、Ｓ１４０５、または、Ｓ１４０６で仮決定した発光輝度に制御する。それにより、液晶表示部１０５の上限表示輝度が、Ｓ１４０４、Ｓ１４０５、または、Ｓ１４０６で仮決定された上限表示輝度に制御される。その結果、実施例１と同様に、ユーザと撮像装置の両方にとって好適な表示が実現される。そして、Ｓ１４１３へ処理が進められる。
【００８５】
Ｓ１４１３にて、制御部１０１が、電源操作部１１２を用いた停止操作が行われたか否かを判断する。停止操作が行われていない場合には、Ｓ１４０１へ処理が戻される。そして、停止操作が行われるまで、Ｓ１４０１〜Ｓ１４１３の処理が繰り返される。停止操作が行われると、本処理フローが終了される。
【００８６】
以上述べたように、本実施例によれば、液晶表示部１０５で表示される画面の判断結果と、他の判断結果とに基づいて、液晶表示部１０５の上限表示輝度が制御される。具体的には、ＥＶＦ１３０１に物体が近接していると判断された場合に、他の判断結果に依らずに、液晶表示部１０５の上限表示輝度が上限表示輝度α３に制御される。撮像装置に交換レンズ１３０３が装着されていないと判断された場合にも、他の判断結果に依らずに、液晶表示部１０５の上限表示輝度が上限表示輝度α３に制御される。撮像画像が外部装置で表示されていると判断された場合にも、他の判断結果に依らずに、液晶表示部１０５の上限表示輝度が上限表示輝度α３に制御される。それにより、ユーザおよび表示装置にとって好適な表示を実施例１よりも確実に実現できる。
【００８７】
なお、Ｓ１４０７の処理、Ｓ１４０８の処理、及び、Ｓ１４０９の処理のうちの１つまたは２つの処理が省略されてもよい。例えば、Ｓ１４０７の処理が省略されてもよい。そして、ＥＶＦ１３０１に物体が近接していても、撮像装置に交換レンズ１３０３が装着されていると判断され、撮像画像が外部装置で表示されてないと判断された場合に、Ｓ１４１１の処理が行われてもよい。Ｓ１４０８とＳ１４０９の処理が省略されてもよい。そして、撮像装置に交換レンズ１３０３が装着されておらず、撮像画像が外部装置で表示されていても、ＥＶＦ１３０１に物体が近接しないと判断された場合に、Ｓ１４１１の処理が行われてもよい。
【００８８】
なお、制御部１０１は、ＥＶＦ１３０１に物体が近接していないと判断された場合の上限表示輝度よりも、ＥＶＦ１３０１に物体が近接していると判断された場合の上限表示輝度が低くなるように、輝度制御を行ってもよい。例えば、第１の画面が表示され、且つ、ＥＶＦ１３０１に物体が近接していると判断された場合に、制御部１０１は、液晶表示部１０５の上限表示輝度を、上限表示輝度α１と上限表示輝度α３の間の上限表示輝度に制御してもよい。第２の画面が表示され、且つ、ＥＶＦ１３０１に物体が近接していると判断された場合に、制御部１０１は、液晶表示部１０５の上限表示輝度を、上限表示輝度α２と上限表示輝度α３の間の上限表示輝度に制御してもよい。第３の画面が表示され、且つ、ＥＶＦ１３０１に物体が近接していると判断された場合に、制御部１０１は、液晶表
示部１０５の上限表示輝度を、上限表示輝度α３よりも低い上限表示輝度に制御してもよい。
【００８９】
同様に、制御部１０１は、撮像装置に交換レンズ１３０３が装着されていないと判断された場合の上限表示輝度よりも、撮像装置に交換レンズ１３０３が装着されていると判断された場合の上限表示輝度が低くなるように、輝度制御を行ってもよい。制御部１０１は、撮像画像が外部装置で表示されていないと判断された場合の上限表示輝度よりも、撮像画像が外部装置で表示されていると判断された場合の上限表示輝度が低くなるように、輝度制御を行ってもよい。
【００９０】
実施例１，２の各機能部は、個別のハードウェアであってもよいし、そうでなくてもよい。２つ以上の機能部の機能が、共通のハードウェアによって実現されてもよい。１つの機能部の複数の機能のそれぞれが、個別のハードウェアによって実現されてもよい。１つの機能部の２つ以上の機能が、共通のハードウェアによって実現されてもよい。また、各機能部は、ハードウェアによって実現されてもよいし、そうでなくてもよい。例えば、装置が、プロセッサと、制御プログラムが格納されたメモリとを有していてもよい。そして、装置が有する少なくとも一部の機能部の機能が、プロセッサがメモリから制御プログラムを読み出して実行することにより実現されてもよい。
【００９１】
実施例１，２はあくまで一例であり、本発明の要旨の範囲内で実施例１，２の構成を適宜変形したり変更したりすることにより得られる構成も、本発明に含まれる。実施例１，２の構成を適宜組み合わせて得られる構成も、本発明に含まれる。
【００９２】
＜その他の実施例＞
本発明は、上述の実施例の１以上の機能を実現するプログラムを、ネットワーク又は記憶媒体を介してシステム又は装置に供給し、そのシステム又は装置のコンピュータにおける１つ以上のプロセッサがプログラムを読出し実行する処理でも実現可能である。また、１以上の機能を実現する回路（例えば、ＡＳＩＣ）によっても実現可能である。
【符号の説明】
【００９３】
１０１：制御部  １０５：液晶表示部  １０７：液晶パネル
１０８：バックライトユニット  １０９：バックライト駆動部
１１０：データ処理部  １１１：表示処理部  １１６：画面判断部
２００：階調変換部
【図１】
2019053208.tif 000003
【図２】
2019053208.tif 000004
【図３】
2019053208.tif 000005
【図４】
2019053208.tif 000006
【図５】
2019053208.tif 000007
【図６】
2019053208.tif 000008
【図７】
2019053208.tif 000009
【図８】
2019053208.tif 000010
【図９】
2019053208.tif 000011
【図１０】
2019053208.tif 000012
【図１１】
2019053208.tif 000013
【図１２】
2019053208.tif 000014
【図１３】
2019053208.tif 000015
【図１４】
2019053208.tif 000016